(57)【要約】【課題】自車の停止保持制御中に先行車が発進した場合、先行車の発進状態に応じて追従走行制御の再開を可能とする。【解決手段】自車の停止保持制御中に先行車が発進したとき、先行車車速推定部１２で先行車の車速と加速度とに基づいて発進から所定時間後の先行車の車速を推定し、ＡＣＣ目標車速設定部１３で先行車と自車との車間距離及び先行車の推定車速に基づいて追従走行の目標車速を設定する。そして、ＡＣＣ再セット可否判定部１４で目標車速を判定閾値と比較し、目標車速が判定閾値を超えているとき、ドライバのスイッチ操作入力によるＡＣＣの再セット許可と判定し、目標車速が判定閾値以下のときには、ＡＣＣ再セット禁止と判定する。これにより、自車の停止保持制御中に先行車が発進した場合、先行車の発進状態に応じて追従走行制御の再開を可能とすることができる。【選択図】図２
2010285145.tif 000002
【特許請求の範囲】
【請求項１】
自車前方の先行車を捕捉し、この先行車に対する車間距離を維持して追従走行制御を行う車間距離制御装置であって、
上記先行車の停止に伴って自車が停止したとき、上記追従走行制御を解除し、自車を停止状態に維持するようブレーキの作動状態を保持する停止保持制御へ移行させる停止保持制御部と、
上記停止保持制御中に上記先行車が発進したとき、上記先行車の加速度および、上記先行車と自車との車間距離または上記先行車の車速に基づいて、ドライバの操作による上記追従走行制御の再セットを許可するか否かを判定する再セット可否判定部と
を備えることを特徴とする車間距離制御装置。
【請求項２】
少なくとも上記先行車と自車との車間距離及び上記先行車の車速に基づいて、上記追従走行制御の目標車速を設定する目標車速設定部と、
上記停止保持制御中に上記先行車が発進したとき、発進から所定時間後の上記先行車の車速を上記先行車の加速度に基づいて推定し、推定車速を上記目標車速設定部に出力する先行車車速推定部とを更に備え、
上記再セット可否判定部は、上記停止保持制御中に上記先行車が発進したとき、上記推定車速を用いて設定される目標車速を判定閾値と比較し、ドライバの操作による上記追従走行制御の再セットを許可するか否かを判定することを特徴とする請求項１記載の車間距離制御装置。
【請求項３】
上記再セット可否判定部は、上記先行車が発進したときの上記先行車の加速度と上記先行車の車速とに基づいて上記追従走行制御の再セットを許可するか否かを判定するものであって、上記先行車の車速が車速判定閾値を超え、且つ上記先行車の加速度が加速度判定閾値を超えた場合に、上記追従走行制御の再セットを許可することを特徴とする請求項１記載の車間距離制御装置。
【請求項４】
上記再セット可否判定部は、上記先行車が発進したときの上記先行車の加速度と上記先行車と自車との車間距離とに基づいて上記追従走行制御の再セットを許可するか否かを判定するものであって、上記先行車の加速度が大きい場合、該加速度が小さい場合に比較して上記追従走行制御の再セットを許可するまでの上記先行車と自車との車間距離を短く設定することを特徴とする請求項１記載の車間距離制御装置。
【発明の詳細な説明】
【技術分野】
【０００１】
本発明は、先行車に対する車間距離を維持して追従走行制御を行う車間距離制御装置に関する。
【背景技術】
【０００２】
近年、自動車等の車両においては、レーザレーダ等を用いて自車の外界環境を認識し、安全確保や走行制御等を行う技術が開発されている。特に、走行制御に関して、レーザレーダ等によって認識した道路状況等から自車の車速や先行車との車間距離を自動制御する車間距離自動維持制御（ACC;Adaptive Cruise Control）システムが代表的な技術として実用化されている。
【０００３】
このようなＡＣＣ制御システムでは、先行車への追従走行中に先行車が減速して停止したとき、自車も減速して停止する。このとき、追従走行制御が解除され、ブレーキの作動状態を車両停止可能な状態に保持する停止保持制御に移行する。この停止保持制御中、先行車が発進した場合、自車を自動的に発進させるには、ドライバがスイッチ等をマニュアル操作して追従走行制御を再セットする。この再セットにより、停止保持制御が解除され、先行車の発進に追従して自車を発進させることができる。
【０００４】
この追従走行制御の再セットによる停止保持制御から追従走行制御の再開に関して、例えば、特許文献１には、停止保持制御を解除して追従走行制御へ切り換える操作レバーを操作する等して自車を発進させる際、停止保持制御の解除後所定の間、停止保持制御を禁止する技術が開示されている。この特許文献１の技術は、追従走行制御の再セットによる自車の発進時に、車速の増加が遅い場合、自車が停止していると誤判断され、自車が発進しているにも拘わらず追従走行制御から停止保持制御に切り換えられてしまうことを防止するものである。
【先行技術文献】
【特許文献】
【０００５】
【特許文献１】特開２００８−１３３７号公報
【発明の概要】
【発明が解決しようとする課題】
【０００６】
停止保持制御を解除して追従走行制御を再開させる場合、ドライバのマニュアル操作を受け付けて追従走行制御の再セットを可能とする条件として、通常、先行車の車速が所定の閾値を超えた条件、或いは先行車との車間距離が所定の閾値を超えた条件を採用することが多い。
【０００７】
しかしながら、前者の車速による条件では、車間距離が短い状態でも再セット可能となるため、再セットによるブレーキ解除直後に先行車が車速を落としたとき、例えば登坂では十分にエンジントルクを出力できずに後方にずり下がってしまうことが懸念される。
【０００８】
一方、後者の車間距離による条件では、車間距離が近い状態で先行車が勢い良く発進した場合、すぐには再セット可能とならずに再セットのタイミングが遅れ、ドライバに鈍重なレスポンス感を与えてしまい、運転フィーリングが悪化する。
【０００９】
本発明は上記事情に鑑みてなされたもので、自車の停止保持制御中に先行車が発進した場合、先行車の発進状態に応じて追従走行制御の再開を可能とすることのできる車間距離制御装置を提供することを目的としている。
【課題を解決するための手段】
【００１０】
上記目的を達成するため、本発明による車間距離制御装置は、自車前方の先行車を捕捉し、この先行車に対する車間距離を維持して追従走行制御を行う車間距離制御装置であって、上記先行車の停止に伴って自車が停止したとき、上記追従走行制御を解除し、自車を停止状態に維持するようブレーキの作動状態を保持する停止保持制御へ移行させる停止保持制御部と、上記停止保持制御中に上記先行車が発進したとき、上記先行車の加速度および、上記先行車と自車との車間距離または上記先行車の車速に基づいて、ドライバの操作による上記追従走行制御の再セットを許可するか否かを判定する再セット可否判定部とを備えることを特徴とする。
【発明の効果】
【００１１】
本発明によれば、自車の停止保持制御中に先行車が発進した場合、先行車の加速度、車速、車間距離による発進状態に応じてドライバの操作による追従走行制御の再セットを許可するか否かを判定するため、例えば、車間距離が近い状態から先行車がゆっくり発進した場合は、或る程度離れないと再セット可能とせず、近い状態から先行車が素早く発進した場合は、早期に再セット可能とすることができ、先行車の発進状態に応じて追従走行制御を再開させ、ドライバの意図に即した発進を行うことが可能となる。
【図面の簡単な説明】
【００１２】
【図１】本発明の第１の実施の形態を示し、クルーズコントロールシステムの全体構成図
【図２】同上、ＡＣＣ再セットに係る機能ブロック図
【図３】同上、ＡＣＣ再セット処理のフローチャート
【図４】本発明の第２の実施の形態を示し、ＡＣＣ再セットに係る機能ブロック図
【図５】同上、他のＡＣＣ再セットに係る機能ブロック図
【発明を実施するための形態】
【００１３】
以下、図面を参照して本発明の実施の形態を説明する。  
第１の実施の形態における車間距離制御装置は、先行車等の自車外部に存在する物体の検出デバイスとしてレーザーレーダを用いたクルーズコントロールシステムとして構成され、レーザレーダによる先行車の捕捉結果に応じて追従走行と定速走行とを自動的に切り換えるＡＣＣ制御（Adaptive Cruise Control;車間距離自動維持制御）に係る各種機能を実現する。具体的には、図１に示すように、本実施の形態のクルーズコントロールシステム１は、ＣＡＮ（Controller Area Network）通信バス１００によるネットワークを介して接続された複数の制御ユニットで構成されている。
【００１４】
システムの中心となるユニットは、レーザレーダ１０ａを一体的に備えたＡＣＣ制御ユニット１０であり、例えば、自車のフロントバンパ構造材に取り付けられている。レーザレーダ１０ａから出射されるレーザ光は、水平方向及び垂直方向の所定範囲で２次元走査され、送信波と外部のターゲットで反射されて受信された受信波との時間差に基づいて、２次元領域中の各点に対する距離情報が取得される。この距離情報からは、先行車と自車との車間距離、先行車の車速（相対車速）等が算出される。
【００１５】
クルーズコントロールシステム１を形成する他の制御ユニットとしては、ブレーキ制御用のブレーキ制御ユニット２０，ＥＰＢ（ElectricalParkingBrake；電動パーキングブレーキ）の作動／解除を制御するＥＰＢ制御ユニット３０，各種ディスプレイの表示制御を行うメータ制御ユニット４０，パワーウインド、シートベルト、ドア等のボディ系制御用のボディ制御ユニット５０，トランスミッション制御用の変速機制御ユニット６０，エンジン制御用のエンジン制御ユニット７０があり、これらの制御ユニットがＡＣＣ制御ユニット１０とネットワーク接続されている。
【００１６】
また、ＡＣＣ制御ユニット１０には、ＡＣＣ制御中の自動ブレーキ作動時にブレーキランプ２を点灯させるため、ブレーキランプリレー３のリレーコイルが接続されている。ブレーキランプリレー３は、その共通端子にブレーキランプ２が接続され、常閉接点端子がブレーキランプスイッチ４を介してバッテリ電源（＋Ｂ）５に接続されると共に、常開接点端子がバッテリ電源５に接続されている。ブレーキランプスイッチ４は、図示しないブレーキペダルに連設され、ブレーキペダルの踏み込みによって接点が閉となるスイッチである。
【００１７】
すなわち、ＡＣＣ非作動状態では、ドライバがブレーキペダルを踏み込むと、ブレーキランプスイッチ４がＯＮし、ブレーキランプリレー３の常閉接点を介してバッテリ電源５からブレーキランプ２に電圧が印加され、ブレーキランプ２が点灯する。一方、ＡＣＣ作動中は、ブレーキランプスイッチ４がＯＦＦしたままでも、ブレーキランプ２の点灯／非点灯がＡＣＣ制御ユニット１０によって制御され、自動ブレーキ作動時には、ブレーキランプリレー３の常開接点が閉じられてバッテリ電源５からブレーキランプ２に電圧が印加されてブレーキランプ２が点灯する。
【００１８】
尚、ブレーキペダルには、ブレーキランプスイッチ４に加え、ブレーキペダルの踏み込みによって接点が開となるブレーキランプスイッチ６が連設されている。このブレーキランプスイッチ６は、一方の端子がイグニッション（ＩＧＮ）スイッチ７に接続され、他方の端子がエンジン制御ユニット７０の入力側に接続されている。
【００１９】
クルーズコントロールにおける車速や車間距離は、エンジン制御ユニット７０に接続されるコマンドスイッチ８０をユーザがマニュアル操作することで設定される。コマンドスイッチ８０は、ステアリングに配置されたプッシュスイッチ及びトグルスイッチからなる操作スイッチであり、ＡＣＣ制御システムの作動をＯＮ／ＯＦＦするメインスイッチであるクルーズスイッチ（図１中に「ＣＲＵＩＳＥ」と表示）８０ａ、ＡＣＣ制御を解除するためのキャンセルスイッチ（図１中に「ＣＡＮＣＥＬ」と表示）８０ｂ、その時の自車の速度でセットするためのセットスイッチ（図１中に「ＳＥＴ／−」と表示）８０ｃ、先行車と自車との車間距離を設定するための車間距離設定スイッチ８０ｄ、前回の記憶してあるセット車速で再セットするためのリジュームスイッチ（図１中に「ＲＥＳ／＋」と表示）８０ｅを有している。
【００２０】
クルーズスイッチ８０ａがＯＮされると、スイッチＯＮの情報がエンジン制御ユニット７０からＣＡＮ通信バス１００を介して他の制御ユニットに送信され、システムが作動状態となる。このとき、メータ制御ユニット４０により、インストルメントパネル内に設けられたディスプレイの「ＣＲＵＩＳＥ」表示が点灯し、ＡＣＣ制御システムの状態をドライバに提示する。
【００２１】
このＡＣＣ制御システムの状態を表示するディスプレイは、「ＣＲＵＩＳＥ」の他、ＡＣＣ制御への待機状態であることを示す「ＲＥＡＤＹ」、コマンドスイッチ８０を介して車速等がセットされたことを示す「ＳＥＴ」の文字表示、先行車の捕捉状態やセットされた車間距離を示すグラフィック表示、セット車速の数値表示等を含むマルチファンクションディスプレイとして構成されている。
【００２２】
ＡＣＣ制御ユニット１０と各制御ユニット２０，３０，４０，５０，７０とは、ＣＡＮ通信バス１００を介して情報を送受信し、主として、エンジン制御ユニット７０を介したスロットル制御、変速機制御ユニット６０を介したシフト制御、ブレーキ制御ユニット２０を介したブレーキ制御により、ドライバが設定した車速や車間距離を維持するよう制御する。
【００２３】
すなわち、ＡＣＣ制御ユニット１０は、レーザレーダ１０ａによって検出する先行車の有無に応じて、ドライバによりセットされたセット車速での一定速走行と、セット車速を上限とする先行車への追従走行とを自動的に切り換える。先行車への追従走行では、自車と先行車との車間距離、車速（相対速度）、及び先行車の加速度に基づいて、ＡＣＣ制御における目標車速を算出する。この目標車速は、例えば、少なくとも車間距離と車速とを軸とするマップ参照等によって算出され、エンジン制御ユニット７０に送信される。エンジン制御ユニット７０は、目標車速と現在の車速との偏差に応じたスロットル制御を実行し、自車の車速が目標車速となるよう制御する。
【００２４】
また、勾配が下り坂で且つ現在のギヤ位置でのスロットルオフ制動力（エンジンブレーキ）では車間距離を維持できない（接近しすぎる）と判断した場合には、目標ギヤ位置をＡＣＣ制御ユニット１０から変速機制御ユニット６０に送信する。変速機制御ユニット６０は、目標ギヤ位置へのシフトダウン制御を実行し、車間距離を維持する。
【００２５】
また、ＡＣＣ制御ユニット１０は、自車と先行車との車間距離、相対速度、及び先行車の減速度に基づいて、自車の要求減速度を算出し、この要求減速度を発生させるために必要なブレーキ液圧を算出してブレーキ制御ユニット２０に要求液圧として送信する。ブレーキ制御ユニット２０は、要求液圧に従ってブレーキ系の液圧を制御し、必要な減速度を発生させて自車を減速させる。
【００２６】
このようなＡＣＣ制御中、先行車の停止によって自車も停止(車速有→０)した場合には、自車を停止状態とするブレーキ液圧を保持する停止保持制御に移行し、先行車への追従制御が解除される。この停止保持制御の状態で先行車が発進し、先行車の発進に応じて自車を発進させる場合には、ドライバがアクセルを踏み込んで自車を発進させる、或いはセットスイッチ８０ｃやリジュームスイッチ８０ｅを操作してＡＣＣ制御を再開させることによりブレーキを解除させる必要がある。
【００２７】
本システムでは、ドライバのスイッチ操作（ＡＣＣの再セット）によるＡＣＣ制御の再開は、従来のように一義的に先行車の車速或いは車間距離が閾値を超えただけではＡＣＣ制御機能が有効にならないようにしている（ＡＣＣの再セット不可）。これは、単に先行車の車速のみで再セット可能とすると、車間距離が短い状態で再セットし、自車がブレーキ解除直後に先行車が車速を落とした場合、例えば登坂では十分にエンジントルクを出力できず、後方にずり下がってしまう虞があるからである。また、単に先行車との車間距離のみで再セット可能とすると、車間距離が近い状態で先行車が勢い良く発進した場合には、再セット可能となるまでに遅れが生じ、鈍重なレスポンス感となって運転フィーリングの悪化を招くからである。
【００２８】
このため、本システムは、ＡＣＣの停止保持制御からのＡＣＣ再セットに係る機能として、図２に示すように、停止保持制御部１１、先行車車速推定部１２、ＡＣＣ目標車速設定部１３、ＡＣＣ再セット可否判定部１４の各機能部を備えている。尚、本実施の形態では、これらの機能部は、ＡＣＣ制御ユニット１０に備えられるものとするが、ネットワークを介して接続される各制御ユニット、例えば、ＡＣＣ制御ユニット１０とエンジン制御ユニット７０とで機能を分散するようにしても良い。
【００２９】
停止保持制御部１１は、ＡＣＣ制御による追従走行中に先行車が減速して停止し、自車の減速によって停止したとき、ブレーキ液圧を自車を停止状態とする圧力に保持するよう指示し、停止保持制御を実行する。一方、停止保持制御中に、例えば、以下の（１）〜（６）に示すような状況になったときには、停止保持制御を解除する。
【００３０】
（１）停止保持開始から所定時間が経過
このとき、ＥＰＢを作動させると同時にブレーキの液圧要求を解除する。  
（２）変速レンジがパーキングレンジにシフトされた
（３）クルーズスイッチ８０ａがＯＦＦされた
（４）ＥＰＢ作動
停止保持開始から所定時間が経過していない場合であっても、ボディ制御ユニット５０でドア開放やシートベルの開放を検知し、その情報がネットワークを介して通知されたときには、停止保持制御を解除し、安全確保のためにＥＰＢを作動させる。  
（５）キャンセルスイッチ８０ｂが操作された
（６）変速レンジがＤレンジ又はＲレンジでドライバがアクセルを操作した
（７）ドライバがブレーキを操作した
（８）ＡＣＣ（追従走行制御）がセットされたとき
セットスイッチ８０ｃやリジュームスイッチ８０ｅの操作入力によるＡＣＣ制御（追従走行制御）の設定が有効となったとき、停止保持制御を解除する。
【００３１】
先行車車速推定部１２は、先行車への追従走行中、或いは先行車が停止状態から発進したとき、そのときの現在の先行車の車速及び加速度をレーザレーダ１０ａの測距データから算出し、算出した先行車の車速及び加速度に基づいて、所定時間後の先行車の車速を推定する。この先行車の車速推定結果は、ＡＣＣ目標車速設定部１３に送出され、以下に説明するように、先行車の停止による自車の停止保持制御中であっても、先行車が発進したときには、先行車の発進から所定時間後の車速が推定され、この推定車速を用いて目標車速が算出される。
【００３２】
ＡＣＣ目標車速設定部１３は、先行車の有無に応じてＡＣＣ制御の目標車速を設定する。レーザレーダ１０ａで先行車が検出されていない場合、ドライバがセットしたセット車速が目標車速として設定され、先行車が検出されている場合には、少なくとも、先行車と自車との車間距離、先行車の車速に基づいて、追従走行の目標車速が設定される。但し、追従走行中でなくとも、停止保持制御中に先行車が発進した場合には、先行車車速推定部１２で推定した先行車の推定車速に基づいて、目標車速を設定する。また、追従走行の目標車速はセット車速を上限とする。
【００３３】
ＡＣＣ再セット可否判定部１４は、停止保持制御部１１による停止保持制御の実行中、ドライバによるセットスイッチ８０ｃやリジュームスイッチ８０ｅの操作入力を受け付けてＡＣＣの再セットを許可するか、スイッチ操作入力を無効としてＡＣＣの再セットを禁止するかを判定する。このＡＣＣ再セットの許可／禁止は、ＡＣＣ目標車速設定部１３で設定された追従走行の目標車速を所定の判定閾値と比較することで判定し、目標車速が判定閾値を超えているとき、ＡＣＣ再セット許可と判定し、目標車速が判定閾値以下のときには、ＡＣＣ再セット禁止と判定する。
【００３４】
このような本システムの再セット可否判定では、車間距離が近い状態から先行車がゆっくり発進した場合、或る程度離れないと再セット可能とならず、ブレーキ解除及びエンジンの出力トルクの不足によって坂道等で後方へずり下がってしまうこともない。また、先行車が自車に近い状態から素早く発進した場合には、先行車の加速度が目標車速に反映されているため、直ぐに再セット可能となり、自車を迅速に発進させることができる。また、先行車が離れている状態であれば、それだけで再セット可能となる。
【００３５】
つまり、先行車の加速度と車間距離とを加味した目標車速を用いて再セットの可否を判定することにより、ドライバにとって「ブレーキを解除して発進したい場面」を忠実に判断することができる。また、ＡＣＣの目標車速そのものを用いるため、ブレーキを放したら必ず加速制御するので、坂道等で後方にずり下がることもない。
【００３６】
尚、ＡＣＣ再セット可否の判定条件として、目標車速に加え、舵角を判定条件に加えるようにしても良い。すなわち、停止保持制御中に、ドライバがステアリングを回転させて、そのステアリング操作を忘れてしまった場合、ＡＣＣ再セットを許可すると、自動的にブレーキが解除されて車両が発進し、ドライバの予期しない進路に曲がる虞がある。従って、停止保持制御中に、目標車速が判定閾値を超えても、舵角が所定値より大きいときにはＡＣＣの再セットを許可しないことで、安全を確保することができる。
【００３７】
また、ＡＣＣ再セットによる発進時には、ブレーキを解除し終わった時点でエンジントルクを出力するのではなく、ブレーキを解除しながら、徐々にエンジントルクが増加するように制御することが望ましい。すなわち、坂道等では、後方にずり下がったり、下がらせないために、エンジントルクの出力が急峻になる傾向があり、車体が揺さぶられてしまい、ドライバに不快感を与える虞がある。
【００３８】
従って、停止保持制御中に、路面の勾配を推定し、推定した路面勾配が所定値以上の登坂である場合には、ＡＣＣ再セットによる発進時、路面勾配の推定結果に応じた時間変化率でブレーキ液圧を徐々に低下させると同時に、エンジンからは、ブレーキがかかっていないものとして制動力と対抗するように駆動トルクを出力させる。その結果、ブレーキを解除しながら同時に加速制御を行うことになり、徐々にエンジンの駆動トルクが増加しながらブレーキの制動力がぬけてゆき、車両発進時の挙動をマイルドなものすることができる。
【００３９】
次に、以上のＡＣＣ再セット可否判定に係るプログラム処理について、図３のフローチャートを用いて説明する。
【００４０】
このＡＣＣ再セット可否判定処理では、先ず、最初のステップＳ１において、先行車の停止によって自車が停止し、停止保持制御を実行中か否かを判定する。そして、停止保持制御中でない場合には、本処理を抜け、ＡＣＣ停止保持制御中であるとき、ステップＳ２へ進んで、先行車の発進を検出した場合、発進から所定時間後の先行車の車速を推定する。
【００４１】
次に、ステップＳ３へ進み、先行車と自車との車間距離、及び発進から所定時間後の先行車の推定車速に基づいて、ＡＣＣ制御（ＡＣＣ制御再開時）の目標車速ＶＴＧＴaccを設定する。そして、ステップＳ４で目標車速ＶＴＧＴaccと所定の判定閾値Ｖholdとを比較し、目標車速ＶＴＧＴaccが判定閾値Ｖholdを超えているか否かを調べる。
【００４２】
その結果、ＶＴＧＴacc＞Ｖholdである場合、ステップＳ４からステップＳ５へ進んでＡＣＣの再セットを許可して本処理を抜ける。このＡＣＣ再セット許可により、セットスイッチ８０ｃやリジュームスイッチ８０ｅからの操作入力が受け付け可能状態となる。例えば、インストルメントパネル内のＡＣＣ用のディスプレイが「ＲＥＡＤＹ」の表示状態で、リジュームスイッチ８０ｅを押すと、前回設定したセット車速がセットされ、先行車の発進に応じて自車をスムーズに発進させることができる。
【００４３】
一方、ステップＳ４において、ＶＴＧＴacc≦Ｖholdである場合には、ステップＳ４からステップＳ６へ分岐し、ＡＣＣの再セットを禁止して本処理を抜ける。この場合には、セットスイッチ８０ｃやリジュームスイッチ８０ｅを押圧操作しても、その操作入力が無効となり、車間距離が近い状態から先行車がゆっくり発進してもブレーキが解除されず、勾配路でのエンジントルク不足による車両のずり下がり等を確実に防止することができる。
【００４４】
このように本実施の形態においては、自車の停止保持制御中に先行車が発進した場合、先行車の加速度と車間距離とを加味した目標車速を用いて再セットの可否を判定する。このため、先行車の発進状態に応じて追従走行制御を再開させ、ドライバの意図に即した発進を行うことが可能となる。
【００４５】
尚、以上の第１の実施の形態及び以下に説明する第２の実施の形態においてＡＣＣ再セットの可否を判定するための判定閾値は、例えば、車両特性とドライバの感性評価試験結果等を考慮して決定される。
【００４６】
次に、本発明の第２の実施の形態について説明する。第２の実施の形態は、ＡＣＣ制御の再セットの可否を判定する際、ＡＣＣ制御の目標車速を用いることなく、先行車の車速と加速度、或いは先行車の加速度と車間距離とから、直接、ＡＣＣ再セットの可否を判定するものである。
【００４７】
このため、第２の実施の形態においては、第１の実施の形態に対して、ＡＣＣ制御ユニット１０のＡＣＣ再セットに係る機能を若干変更し、図４或いは図５に示すような機能構成とする。他の構成は、第１の実施の形態と同様である。
【００４８】
先ず、図４に示す先行車の車速と加速度とに基づいてＡＣＣ再セットの可否を判定する例について説明する。図４の例では、第１の実施の形態で説明した先行車車速推定部１２及びＡＣＣ目標車速設定部１３を用いることなく、ＡＣＣ再セット可否判定部１４の機能を若干変更したＡＣＣ再セット可否判定部１４Ａにて判定を行う。
【００４９】
具体的には、ＡＣＣ再セット可否判定部１４Ａは、自車の停止保持制御中に先行車が発進したとき、レーザレーダ１０ａの測距データから算出される先行車の車速と加速度とを、それぞれ、車速判定閾値Ｖset、加速判定閾値Ａsetと比較することで判定を行う。先行車の車速が車速判定閾値Ｖsetを超え、且つ先行車の加速度が加速度判定閾値Ａsetを超えている場合、ＡＣＣ再セット許可と判定し、先行車の車速と加速度との少なくとも一方が判定閾値Ｖset,Ａset以下である場合には、ＡＣＣ再セット禁止と判定する。
【００５０】
この先行車の車速と加速度とに基づくＡＣＣ再セット判定により、第１の実施の形態と同様、ドライバにとって「ブレーキを解除して発進したい場面」を判断することができる。すなわち、車間距離が近い状態から先行車がゆっくり発進した場合、先行車の車速及び加速度が大きくなって車間距離が或る程度大きくならないと再セット可能とならず、ブレーキ解除及びエンジンの出力トルクの不足によって坂道等で後方へずり下がってしまうこともない。逆に、先行車が自車に近い状態から素早く発進した場合、先行車の車速及び加速度から直ちに再セット可と判定され、自車を迅速に発進させることができる。
【００５１】
この場合、図５に例示するように、先行車の加速度と車間距離とに基づいてＡＣＣ再セットを判定するようにしても良い。図５の例では、図４のＡＣＣ再セット可否判定部１４ＡをＡＣＣ再セット可否判定部１４Ｂに変更し、先行車の加速度と車間距離とが所定の条件を満たすか否かにより、ＡＣＣ再セットの可否を判定する。
【００５２】
具体的には、ＡＣＣ再セット可否判定部１４Ｂは、先行車が発進したとき、先行車の加速度と車間距離とをパラメータとして許可マップ１５を参照し、ＡＣＣ再セットの可否を判定する。許可マップ１５は、加速度と車間距離とを軸としてＡＣＣ再セットの可否判定値を格納するものであり、車間距離が短くなるほどＡＣＣ再セットを許可する加速度が大きくなり、車間距離が長くなるほどＡＣＣ再セットを許可する加速度が小さくなる特性に設定されている。換言すれば、先行車の加速度が小さい場合、先行車の加速度が大きい場合に比較してＡＣＣ再セットを許可するまでの車間距離が長くなるように設定され、先行車の加速度が大きい場合、先行車の加速が小さい場合に比較してＡＣＣ再セットを許可するまでの車間距離が短くなるように設定されている。
【００５３】
尚、簡易的には、ＡＣＣ再セット判定の条件として、先行車の加速度を優先条件として、先行車の加速度が所定の判定閾値Ａset'を超えた場合にＡＣＣ再セット可と判定し、先行車の加速度が所定の判定閾値Ａset'以下の場合には、車間距離が所定の判定閾値Ｄsetを超えたとき、ＡＣＣ再セット可と判定することも可能である。
【００５４】
先行車の加速度と車間距離とに基づくＡＣＣ再セットの判定においても、先行車がゆっくりと発進した場合は、或る程度離れないと再セット可能とせず、先行車が素早く発進した場合は、早期に再セット可能とすることができ、第１の実施の形態や上述のＡＣＣ再セット可否判定部１４Ａによる判定と同様、先行車の発進状態に応じて追従走行制御を再開させ、ドライバの意図に即した発進を行うことが可能となる。
【符号の説明】
【００５５】
１  クルーズコントロールシステム
１０  ＡＣＣ制御ユニット
１０ａ  レーザレーダ
１１  停止保持制御部
１２  先行車車速推定部
１３  目標車速設定部
１４  再セット可否判定部
８０  コマンドスイッチ
Ｖhold  判定閾値
ＶＴＧＴacc  目標車速
Ｖset  車速判定閾値
Ａset  加速度判定閾値
【図１】
2010285145.tif 000003
【図２】
2010285145.tif 000004
【図３】
2010285145.tif 000005
【図４】
2010285145.tif 000006
【図５】
2010285145.tif 000007